(57)【要約】【課題】補助ディスプレー部の活用度を向上し得る、フォルダー型移動通信端末機及びその制御方法を提供しようとする。【解決手段】補助ディスプレー部１１０が形成された本体１００と、メーンディスプレー部２１０が形成されて、前記補助ディスプレー部１１０と対向する位置に開口部が形成されたフォルダー２００と、前記補助ディスプレー部１１０に動作命令を入力するために前記本体１００の一方側に形成されたホイールボタン１２０と、を包含してフォルダー型移動通信端末機を構成する。【選択図】図１
2006157964.tif 000002
【特許請求の範囲】
【請求項１】
補助ディスプレー部が形成された本体と、
メーンディスプレー部が形成されて、前記補助ディスプレー部を確認し得るように開口部が形成されたフォルダーと、
を包含して構成されることを特徴とするフォルダー型移動通信端末機。
【発明の詳細な説明】
【技術分野】
【０００１】
本発明は、フォルダー型移動通信端末機及びその制御方法に係るもので、詳しくは、補助ディスプレー部の活用度を向上し得る、フォルダー型移動通信端末機に関するものである。
【背景技術】
【０００２】
一般に、移動通信端末機は、その形態によって、キーパッドが外部に露出されるバー型（Ｂａｒ  Ｔｙｐｅ）と、キーパッド部分にカバーが備えられたフリップ型（Ｆｌｉｐ  Ｔｙｐｅ）と、本体とフォルダーとが折り畳み式に構成されたフォルダー型（Ｆｏｌｄｅｒ  Ｔｙｐｅ）と、に区分される。特に、フォルダー型は、折り畳み式であるので、容積が小さくなることは勿論で、その分だけ軽量化されて携帯が簡便になるために、最近、盛んに普及されている。
【０００３】
然し、従来のフォルダー型移動通信端末機は、殆ど全てのディスプレー部が移動通信端末機の本体やフォルダーの内部面に設けられているので、フォルダー型移動通信端末機が折り畳まれた状態ではディスプレー部を確認することができず、よって、バッテリーの充電状態や時間、メッセージの到着可否などを確認することができないという問題点があった。
【０００４】
このような問題点を解決するために、最近、フォルダー型移動通信端末機のフォルダーの外部面に補助ディスプレー部を追加設置することで、フォルダー型移動通信端末機が折り畳まれた状態でも移動通信端末機の情報を利用し得るようにしている。
【０００５】
このような従来の補助ディスプレー部が備えられたフォルダー型移動通信端末機においては、図１２（Ａ）および（Ｂ）に示したように、本体１０と、該本体１０にヒンジ軸支されて開閉されるフォルダー２０と、により構成されて、前記フォルダー２０の表面には補助ディスプレー部２１が形成され、前記フォルダー２０の内部面にはメーンディスプレー部２２が形成されている。
【０００６】
また、前記本体１０の内部面には、番号キー、電源キー及び機能キーを包含するキーパッド１１、マイク１２及びスピーカ２３が形成され、前記キーパッド１１を介して入力される内容は前記メーンディスプレー部２２に表示される。
【０００７】
また、使用者が前記フォルダー２０をオープンすることで電源が印加されると、前記メーンディスプレー部２２にはバッテリー残量、電界強度などの移動通信端末機の状態、通話時間及びメッセージの受信可否、入力される文字または数字などがそれぞれ表示され、更に、日付または時間など移動通信端末機の全ての情報が表示される。即ち、前記メーンディスプレー部２２は、前記フォルダー２０がクローズされると電源が遮断されて情報が表示されないが、前記フォルダー２０がオープンされたときは、電源が印加されて各情報が表示される。
【０００８】
また、前記フォルダー型移動通信端末機は、前記フォルダー２０がクローズされた着信待機状態では、前記フォルダー２０の表面に付着された補助ディスプレー部２１を利用することで移動通信端末機の電界強度、メッセージの受信状態、バッテリー残量及び時間などを確認することができる。
【発明の開示】
【発明が解決しようとする課題】
【０００９】
然るに、このような従来のフォルダー型移動通信端末機においては、補助ディスプレー部２１がフォルダー２０の表面に位置するため、該フォルダー２０がクローズされた状態でも移動通信端末機の状態を確認することができて便利であるが、前記フォルダー２０をオープンさせて短文メッセージを伝送するか、または、無線インターネットを使用するなどの作業を行うときは、メーンディスプレー部２２だけが使用されるという不都合な点があった。
【００１０】
即ち、従来のフォルダー型移動通信端末機においては、メーンディスプレー部２２と補助ディスプレー部２１とがフォルダー２０の相互相反する面にそれぞれ付着されているため、補助ディスプレー部２１とメーンディスプレー部２２とを同時に使用することができず、よって、活用性が低下するという不都合な点があった。
【００１１】
且つ、従来のフォルダー型移動通信端末機においては、フォルダー２０の内部面及び外部表面にメーンディスプレー部２２及び補助ディスプレー部２１がそれぞれ付着されているため、肉厚が厚くなって小型化が困難であるという不都合な点があった。
【００１２】
本発明は、このような従来の課題に鑑みてなされたもので、移動通信端末機の本体の一方側に補助ディスプレー部を装着することで、フォルダーの開閉状態に拘わらず、使用者が常に、補助ディスプレー部を確認し得る、フォルダー型移動通信端末機及びその制御方法を提供することを目的とする。
【課題を解決するための手段】
【００１３】
本発明のフォルダー型移動通信端末機は、ディスプレー部が備えられた本体と、
前記本体に揺動可能にヒンジ軸支されて、前記ディスプレー部を確認し得るように開口部が形成されたフォルダーと、を包含して構成されることを特徴とする。
【００１４】
前記ディスプレー部の動作に対する使用者の命令を入力するためのホイールボタンが装着される。
【００１５】
前記開口部には、前記ディスプレー部を保護するための透明ウィンドウが形成される。
【００１６】
前記ディスプレー部は、前記本体の内部面の左側上方端に形成される。
【００１７】
前記ディスプレー部は、前記本体の内部面の右側上方端に形成される。
【００１８】
前記ディスプレー部は、前記本体の内部面の中央部上方端に形成される。
【００１９】
本発明のフォルダー型移動通信端末機は、補助ディスプレー部が形成された本体と、メーンディスプレー部が形成されて、前記補助ディスプレー部を確認し得るように開口部が形成されたフォルダーと、を包含して構成されることを特徴とする。
【００２０】
前記補助ディスプレー部の動作命令を入力するためのホイールボタンが装着される。
【００２１】
前記開口部には、前記補助ディスプレー部を保護するための透明ウィンドウが形成される。
【００２２】
前記補助ディスプレー部は、前記本体の内部面の左側上方端に形成される。
【００２３】
前記補助ディスプレー部は、前記本体の内部面の右側上方端に形成される。
【００２４】
前記補助ディスプレー部は、前記本体の内部面の中央部上方端に形成される。
【００２５】
前記補助ディスプレー部は、着信待機状態である時、メッセージ受信状態、振動モードとしてのマナーモード（ｍａｎｎｅｒ  ｍｏｄｅ）、バッテリー残量及び現在の時間などをディスプレーする。
【００２６】
前記補助ディスプレー部は、無線インターネットの使用時にはインターネット検索用ヒストリーウィンドウに転換され、チャット時には対話入力ウィンドウに転換される。
【００２７】
本発明のフォルダー型移動通信端末機は、補助ディスプレー部が形成された本体と、メーンディスプレー部が形成されて、前記補助ディスプレー部と対向する位置に前記補助ディスプレー部を確認し得る開口部が形成されたフォルダーと、前記補助ディスプレー部に動作命令を入力するために前記本体の一方側に装着されたホイールボタンと、を包含して構成されることを特徴とする。
【００２８】
前記補助ディスプレー部は、前記フォルダーが前記本体にヒンジ軸支部分に形成される。
【００２９】
本発明のフォルダー型移動通信端末機の制御方法は、フォルダー型移動通信端末機を利用してインターネットに接続する過程と、インターネット検索時に検索されたインターネットページのタイトルがディスプレーされるインターネット検索過程と、チャット時に入力された対話内容がディスプレーされるチャット機能過程と、を包含することを特徴とする。
【００３０】
インターネットに接続しないと、一般の電話機能やメッセージの送受信機能を行う過程を追加包含する。
【００３１】
前記インターネット検索過程は、使用者が検索したインターネットページのタイトルが補助ディスプレー部に順次ディスプレーされる過程と、ディスプレーされたタイトル中、検索しようとするインターネットページのタイトルを選択する過程と、選択されたインターネットページの内容がメーンディスプレー部にディスプレーされる過程と、が順次行われる。
【００３２】
検索された各インターネットページのアドレスが第１ヒストリーデータベースに順次格納される過程と、戻り（ｂａｃｋ）命令に従って移動されたインターネットページの下位アドレスが第２ヒストリーデータベースに格納される過程と、が順次行われる。
【００３３】
前記ヒストリー目録に存在しない新しいインターネットページに移動される場合は、第２ヒストリーデータベースに格納されたアドレスが全て削除される。
【００３４】
前記チャット機能過程は、入力された対話内容が補助ディスプレー部にディスプレーされる過程と、ディスプレーされた対話内容を選択する過程と、選択された対話内容がメーンディスプレー部にディスプレーされる過程と、が順次行われる。
【００３５】
最近入力された対話内容であるほど前記補助ディスプレー部の上方端にディスプレーされる。
【００３６】
このような目的を達成するため、本発明に係るフォルダー型移動通信端末機においては、ディスプレー部が備えられた本体と、前記本体に揺動自在にヒンジ軸支され、前記ディ
スプレー部が確認できるように開口部が形成されたフォルダーと、により構成されることを特徴とする。
【００３７】
そして、前記目的を達成するため、本発明に係るフォルダー型移動通信端末機においては、補助ディスプレー部が形成された本体と、メーンディスプレー部が形成されて、前記補助ディスプレー部を確認し得るように開口部が形成されたフォルダーと、により構成されることを特徴とする。
【００３８】
且つ、前記目的を達成するため、本発明に係るフォルダー型移動通信端末機においては、補助ディスプレー部が形成された本体と、メーンディスプレー部が形成されて、前記補助ディスプレー部と対向する位置に該補助ディスプレー部を確認し得る開口部が形成されたフォルダーと、前記補助ディスプレー部に動作命令を入力するために前記本体の一方側壁に装着されたホイールボタンと、を包含して構成されることを特徴とする。
【００３９】
また、前記目的を達成するため、本発明に係るフォルダー型移動通信端末機の制御方法においては、フォルダー型移動通信端末機を利用してインターネットに接続する過程と、インターネット検索時に検索されたインターネットページのタイトルがディスプレーされるインターネット検索過程と、チャット時に入力した対話内容がディスプレーされるチャット機能過程と、を包含することを特徴とする。
【発明の効果】
【００４０】
以上説明したように、本発明に係るフォルダー型移動通信端末機においては、フォルダーの開閉状態に拘わらず、使用者が補助ディスプレー部を確認し得るように構成されているため、補助ディスプレー部の活用度を向上し得るという効果がある。
【００４１】
且つ、本発明に係るフォルダー型移動通信端末機においては、ホイールボタンを装着することで補助ディスプレー部の活用度を向上させて、無線インターネットを使用してチャットを行うとき、以前に入力された対話内容をホイールボタンを操作して再び入力することができるし、また、無線インターネットを使用して情報検索を行う時、既に検索したインターネットページをホイールボタンを操作するのみで容易に検索することができるため、無線インターネットの使用が極めて便利であるという効果がある。
【００４２】
また、本発明に係るフォルダー型移動通信端末機においては、補助ディスプレー部を本体に装着すれば良いのでフォルダーの肉厚が薄くなって、移動通信端末機の小型化を図り得るという効果がある。
【発明を実施するための最良の形態】
【００４３】
以下、本発明の実施の形態に対し、図面を用いて説明する。
【００４４】
本発明に係るフォルダー型移動通信端末機は、本体の所定位置に補助ディスプレー部を形成し、該補助ディスプレー部に対向するようにフォルダー部分に開口部を形成することで、フォルダーの開閉状態に拘わらず、外部から補助ディスプレー部を確認し得るように構成することを特徴とする。
【００４５】
そして、本発明に係るフォルダー型移動通信端末機の第１実施形態においては、図１（Ａ）および（Ｂ）に示したように、本体１００と、該本体１００の内部面の左側上方端に形成された補助ディスプレー部１１０と、前記本体１００にヒンジ軸支されて、常に、前記補助ディスプレー部１１０を確認し得るように該補助ディスプレー部１１０と対向する位置に開口部が形成されたフォルダー２００と、該フォルダー２００の内部面に形成されたメーンディスプレー部２１０と、により構成されている。更に、前記本体１００の左側
または右側壁には、前記補助ディスプレー部１１０を活用するためのホイールボタン１２０が装着され、前記フォルダー２００の開口部には、前記補助ディスプレー部１１０を保護すると共に前記フォルダー２００がクローズされた状態でも前記補助ディスプレー部１１０を確認し得るように透明ウィンドウ２２０が装着されている。
【００４６】
且つ、前記本体１００の内部面には、番号キー、電源キー及び機能キーを含むキーパッド１３０が前記補助ディスプレー部１１０の下方側に装着され、最下側にはマイク１４０が装着されている。且つ、前記フォルダー２００は、スピーカ２３０と、使用者に情報をディスプレーするためのメーンディスプレー部２１０と、により構成されている。
【００４７】
また、前記補助ディスプレー部１１０には、着信待機状態では移動通信端末機の電界強度、メッセージの受信可否及び時間などの現在状態が表示され、使用中の状態では前記メーンディスプレー部２１０を補助して活用度を向上させる。
【００４８】
そして、本発明に係るフォルダー型移動通信端末機の第２実施形態においては、図２（Ａ）および（Ｂ）に示したように、本体１００と、該本体１００の内部面の右側上方端に形成された補助ディスプレー部１１０と、前記本体１００にヒンジ軸支されて常に前記補助ディスプレー部１１０を確認し得るように該ディスプレー部１１０と対向する位置に開口部が形成されたフォルダー２００と、該フォルダー２００の内部面に形成されたメーンディスプレー部２１０と、により構成されている。また、前記本体１００の測壁には前記補助ディスプレー部１１０を活用するためのホイールボタン１２０が装着され、前記フォルダー２００の開口部には前記補助ディスプレー部１１０を保護すると共に前記フォルダー２００のクローズ状態でも前記補助ディスプレー部１１０を確認し得るように透明ウィンドウ２２０が装着されている。
【００４９】
且つ、本発明に係るフォルダー型移動通信端末機の第３実施形態においては、図３（Ａ）および（Ｂ）に示したように、本体１００と、該本体１００の内部面の中央上端部に形成された補助ディスプレー部１１０と、前記本体１００とヒンジ軸支されて常に前記補助ディスプレー部１１０を確認し得るように該補助ディスプレー部１１０と対向する位置に開口部が形成されたフォルダー２００と、該フォルダー２００の内部面に形成されたメーンディスプレー部２１０と、により構成されている。且つ、前記本体１００の側壁には前記補助ディスプレー部１１０を活用するためのホイールボタン１２０が装着され、前記フォルダー２００の開口部には前記補助ディスプレー部１１０を補助するための透明ウィンドウ２２０が装着されている。
【００５０】
上述したような本発明に係るフォルダー型移動通信端末機の構成においては、図４に示したように、一般の電話通話及びインターネット通信ができるように移動通信端末機を制御する移動局モデム（Ｍｏｂｉｌｅ  Ｓｔａｔｉｏｎ  Ｍｏｄｅｍ；ＭＳＭ）５００と、アンテナ４１０を介して基地局と送受信される信号を分離するデュプレックス（Ｄｕｐｌｅｘ）４２０と、前記アンテナ４１０を介して受信された信号及び移動通信端末機の内部信号をラジオ周波数（Ｒａｄｉｏ  Ｆｒｅｑｕｅｎｃｙ）で送受信する送受信部４３０と、使用者から入力されるキー値を前記移動局モデム５００に伝達するキーパッド１３０と、前記移動局モデム５００の制御信号に従って移動通信端末機の状態及び情報をディスプレーするメーンディスプレー部２１０と、該メーンディスプレー部２１０を容易に活用するために本体の内部面に設けられ、フォルダーの開閉状態に拘わらず使用者が確認し得る補助ディスプレー部１１０と、マイク１４０を介して入力された音声信号をコーディングし、前記移動局モデム５００からの出力信号をデコーディングしてスピーカ２３０に出力するコーデック５１０と、前記補助ディスプレー部１１０を容易に活用するために使用者により操作されるホイールボタン１２０と、から構成されている。
【００５１】
且つ、前記送受信部４３０は、前記移動局モデム５００から出力される信号をインターフェース４４０を経由してＲＦ信号に変調した後、前記デュプレックス４２０及びアンテナ４１０を介して外部に送信するＲＦ送信部４３１と、前記アンテナ４１０及びデュプレックス４２０を介して受信されるＲＦ信号を復調して前記インターフェース４４０を介して前記移動局モデム５００に出力するＲＦ受信部４３２と、から構成されている。
【００５２】
また、前記補助ディスプレー部１１０は、フォルダーをオープンして文字メッセージを入力するか、または、他の作業を行う間にも時間の確認が可能で、無線インターネットの使用時に検索したインターネットページに対するヒストリー情報をディスプレーして、所望のインターネットページに直ちに移動し得るようになる。更に、前記補助ディスプレー部１１０は、チャットの対話入力ウィンドウに用いられ、同一対話内容を入力する場合は、ディスプレーされた対話文中該当の文章を選択及び指定することで、対話の入力を行い得るようになる。このとき、前記ホイールボタン１２０を利用すると、前記キーパッド１３０を多数回押すことなく、ホイールを回動させることで簡便に文字をスクロールしたりインターネットページをスクロールしたりすることができる。
【００５３】
以下、このように構成された本発明に係るフォルダー型移動通信端末機の制御方法に対し、図５に基づいて説明する。
【００５４】
先ず、使用者がフォルダー型移動通信端末機のフォルダーをオープンさせた入力待機状態で無線インターネットに接続するかを判断し（Ｓ１）、無線インターネットに接続してないと判断されると、移動通信端末機は使用者が入力する命令に従って一般の電話機能やメッセージ伝送機能を行う（Ｓ２）。
【００５５】
然し、無線インターネットに接続されたと判断されると、使用者が移動通信端末機を利用してチャットを選択するかを確認し（Ｓ３）、使用者がチャットを選択しないと、補助ディスプレー部１１０は、インターネット検索をし得るようにインターネット検索用ヒストリーウィンドウに転換され（Ｓ４）、一方、使用者がチャットを選択すると、前記補助ディスプレー部１１０は対話入力ウィンドウに転換される（Ｓ５）。
【００５６】
次いで、使用者がチャットやインターネット検索を終了すると、フォルダー型移動通信端末機を介して連結された無線インターネットへの接続を終了するかを確認し（Ｓ６）、使用者が無線インターネットへの継続終了を選択しないと、前記過程（Ｓ３）に復帰してインターネット検索を行うかを確認する。然し、使用者が無線インターネットへの接続終了を選択すると、前記補助ディスプレー部１１０は、メッセージ受信状態、振動モードとしてのマナー（ｍａｎｎｅｒ）表示モード、バッテリー残量表示及び現在の時間表示などをディスプレーする待機状態に転換して動作する（Ｓ７）。
【００５７】
以下、本発明に係るフォルダー型移動通信端末機を利用したインターネット検索方法に対し、図６〜図８に基づいて説明する。
【００５８】
インターネット検索は、現在のインターネットページを使用者に表示するメーンディスプレー部２１０と、使用者により検索されたページのタイトルをディスプレーする補助ディスプレー部１１０と、該補助ディスプレー部１１０に表示されたタイトルに該当するインターネットアドレスをそれぞれ格納する第１ヒストリーデータベース３００ａ及び第２ヒストリーデータベース３００ｂと、を利用して行われ、前記第１ヒストリーデータベース３００ａ及び第２ヒストリーデータベース３００ｂは移動通信端末機のメモリ３００に包含される。
【００５９】
ここで、前記第１ヒストリーデータベース３００ａには、無線インターネットを介して
移動した各インターネットページのアドレスが順次格納され、前記第２ヒストリーデータベース３００ｂには、インターネットページに対する戻り（ｂａｃｋ）命令の発生時に移動したインターネットページの下位アドレスが格納される。
【００６０】
図６は、インターネット検索時に前記補助ディスプレー部１１０をヒストリーウインドウの用途で使用する実施例を示したもので、例えば、使用者がキーパッドを操作して第１、第２、第３、第４及び第５インターネットページを順次検索したとすると、現在メーンディスプレー部２１０には第５インターネットページに該当する内容がディスプレーされ、前記第１〜第４インターネットページのタイトルは補助ディスプレー部１１０に順次ディスプレーされる。この時、移動局モデム５００は、メモリ３００の第１ヒストリーデータベース３００ａに前記第１〜第４インターネットページのアドレスを順次格納し、第２ヒストリーデータベース３００ｂにはインターネットページのアドレスを格納しない。
【００６１】
以下、前記補助ディスプレー部１１０の使用方法に対し、図７及び図８を利用して説明する。
【００６２】
補助ディスプレー部１１０にディスプレーされたヒストリー目録中、使用者がホイールボタン１２０を操作して第３インターネットページのアドレスを選択すると、図７に示したように、前記ホイールボタン１２０の出力信号を受信した移動局モデム５００は、メーンディスプレー部２１０に第３インターネットページをディスプレーし、前記第１、第２、第４及び第５インターネットページのタイトルは前記補助ディスプレー部１１０に順次ディスプレーする。また、前記移動局モデム５００は、メモリ３００の第１ヒストリーデータベース３００ａに前記第１及び第２インターネットページのアドレスを順次格納し、前記メモリ３００の第２ヒストリーデータベース３００ｂには前記第４及び第５インターネットページのアドレスを順次格納する。
【００６３】
一方、使用者がキーパッド１２０を操作して新しいインターネットページ（例えば、第６及び第７インターネットページ）を順次検索すると、図８に示したように、メーンディスプレー部２１０には第７インターネットページがディスプレーされて、補助ディスプレー部１１０には第１〜第３及び第６インターネットページのタイトルがディスプレーされる。即ち、新しいインターネットページに接続する場合は、前記第２ヒストリーデータベース３００ｂに格納された内容が削除され、前記第１ヒストリーデータベース３００ａには接続されたインターネットページの内容が格納される。従って、第３インターネットページから新しい第６及び第７インターネットページに接続した場合は、前記第１ヒストリーデータベース３００ａに第１〜第３及び第６インターネットページのアドレスが格納され、前記第２ヒストリーデータベース３００ｂに格納されていた第４、第５インターネットページのアドレスは削除される。
【００６４】
そして、使用者が再び第３インターネットページに接続すると、前記第２ヒストリーデータベース３００ｂには第６インターネットページのアドレスが格納され、前記第１ヒストリーデータベース３００ａには第１及び第２インターネットページのアドレスが残留する。
【００６５】
以下、本発明に係るフォルダー型移動通信端末機を利用してチャットを行う方法に対し、図９〜図１１に基づいて説明する。
【００６６】
図９は、インターネットチャット時、本発明の補助ディスプレー部１１０が対話の入力ウィンドウとして用いられることを示したもので、対話内容がディスプレーされるメーンディスプレー部２１０と、該メーンディスプレー部２１０に既存に入力された対話をディスプレーする補助ディスプレー部１１０と、により構成される。
【００６７】
最近入力された対話内容であるほど前記補助ディスプレー部１１０の上方端にディスプレーされる。即ち、前記補助ディスプレー部１１０において、入力カーソルの上方端には最近の対話入力内容がディスプレーされ、且つ、入力カーソルの下方端には最初の対話入力内容がディスプレーされる。この時、使用者は、前記補助ディスプレー部１１０にディスプレーされた対話内容をホイールボタン１２０により選択して、前記メーンディスプレー部２１０に入力することができる。また、メモリ３００には、インターネットチャット時に割当てられたメモリ容量だけの対話入力内容が格納される。
【００６８】
図１０は、前記ホイールボタン１２０を使用して前記補助ディスプレー部１１０を活用する方法を示したチャートで、使用者が前記ホイールボタン１２０を上下にスクロールして前記補助ディスプレー部１１０のカーソルを操作すると、該補助ディスプレー部１１０には、既にキーパッド１３０を介して前記メーンディスプレー部２１０に入力されてメモリ３００に格納された対話内容が入力順にディスプレーされる。この時、前記補助ディスプレー部１１０の上方端には最近入力した対話内容がディスプレーされ、また、前記補助ディスプレー部１１０の下方端には最初入力した対話内容がディスプレーされる。即ち、使用者が前記ホイールボタン１２０を上方向きスクロールすると最近の対話内容にカーソルが移動し、且つ、使用者が前記ホイールボタン１２０を下方向きスクロールすると最初に入力された対話内容にカーソルが移動する。更に、カーソルが位置する対話内容は、使用者の選択可否によって前記メーンディスプレー部２１０に入力される。
【００６９】
例えば、使用者が前記キーパッド１３０を介して“こんにちは”という対話を入力し、更に“桃太郎です”を入力した状態で新しいチャット相手が参加すると、前記補助ディスプレー部１１０にディスプレーされた“こんにちは”という対話を前記ホイールボタン１２０を使用して選択することで前記メーンディスプレー部２１０に入力される。即ち、使用者が前記キーパッド１３０を操作して“こんにちは”という対話を入力する代わりに、入力された対話内容中、前記補助ディスプレー部１１０にディスプレーされた“こんにちは”という対話を指定して前記メーンディスプレー部２１０に入力することができる。
【００７０】
図１１は、前記ホイールボタン１２０を詳しく示したもので、ホイールボタンを一目ずつスクロールすると、カーソルが上下に一目ずつ移動する。従って、前記ホイールボタン１２０をスクロールすると、前記補助ディスプレー部１１０にディスプレーされた内容及びカーソルも前記ホイールボタン１２０のスクロールによって上下にスクロールされる。
【００７１】
以上、本発明のフォルダー型移動通信端末機は、補助ディスプレー部１１０が形成された本体１００と、メーンディスプレー部２１０が形成されて、前記補助ディスプレー部１１０と対向する位置に開口部が形成されたフォルダー２００と、前記補助ディスプレー部１１０に動作命令を入力するために前記本体１００の一方側に形成されたホイールボタン１２０とを包含して、補助ディスプレイ部の活用度を向上し得る。
【図面の簡単な説明】
【００７２】
【図１】（Ａ）および（Ｂ）は、本発明に係るフォルダー型移動通信端末機の第１実施形態を示した外視図であり、（Ａ）は、そのオープン状態を示した正面図、（Ｂ）は、そのクローズ状態を示した正面図である。
【図２】（Ａ）および（Ｂ）は、本発明に係るフォルダー型移動通信端末機の第２実施形態を示した外視図であり、（Ａ）は、そのオープン状態を示した正面図、（Ｂ）は、そのクローズ状態を示した正面図である。
【図３】（Ａ）および（Ｂ）は、本発明に係るフォルダー型移動通信端末機の第３実施形態を示した外視図であり、（Ａ）は、そのオープン状態を示した正面図、（Ｂ）は、そのクローズ状態を示した正面図である。
【図４】本発明に係るフォルダー型移動通信端末機の構成を示したブロック図である。
【図５】本発明に係るフォルダー型移動通信端末機の制御方法を示したフローチャートである。
【図６】本発明に係るフォルダー型移動通信端末機を利用したインターネット検索方法を示したチャートである。
【図７】本発明に係るフォルダー型移動通信端末機を利用したインターネット検索方法を示したチャートである。
【図８】本発明に係るフォルダー型移動通信端末機を利用したインターネット検索方法を示したチャートである。
【図９】本発明に係るフォルダー型移動通信端末機を利用したチャット方法を示したチャートである。
【図１０】本発明に係るフォルダー型移動通信端末機を利用したチャット方法を示したチャートである。
【図１１】本発明に係るフォルダー型移動通信端末機を利用したチャット方法を示したチャートである。
【図１２】（Ａ）および（Ｂ）、従来のフォルダー型移動通信端末機の構成を示した斜視図であり、（Ａ）は、そのクローズ状態を示した斜視図、（Ｂ）は、そのオープン状態を示した斜視図である。
【符号の説明】
【００７３】
１００    本体
１１０    補助ディスプレー部
１２０    ホイールボタン
１３０    キーパッド
１４０    マイク
２００    フォルダー
２１０    メーンディスプレー部
２２０    透明ウインドウ
２３０    スピーカ
３００    メモリ
３００ａ  第１ヒストリーデータベース
３００ｂ  第２ヒストリーデータベース
４１０    アンテナ
４２０    デュプレックス
４３０    送受信部
４３１    ＲＦ送信部
４３２    ＲＦ受信部
４４０    インタフェース
５００    移動局モデム
５１０    コーデック
【図１】
2006157964.tif 000003
【図２】
2006157964.tif 000004
【図３】
2006157964.tif 000005
【図４】
2006157964.tif 000006
【図５】
2006157964.tif 000007
【図６】
2006157964.tif 000008
【図７】
2006157964.tif 000009
【図８】
2006157964.tif 000010
【図９】
2006157964.tif 000011
【図１０】
2006157964.tif 000012
【図１１】
2006157964.tif 000013
【図１２】
2006157964.tif 000014